(57)【要約】【課題】建物入口に複数の防水板を上下に配列した水遮断装置において、豪雨時等に下側の防水板に対し上側の防水板よりも大きな水圧荷重が作用しても、上下の防水板の撓み量の差を少なくして、上下の防水板間からの漏水を防止する。【解決手段】建物入口における水遮断装置において、上下に隣り合う２個の防水板Ｓ１，Ｓ２のうちの上側の防水板Ｓ１の下端面が、下側の防水板Ｓ２の上端面に接離可能に当接しており、上側の防水板Ｓ１の外面Ｓｒには、前方からの水圧で上側の防水板Ｓ１よりも下側の防水板Ｓ２が後方に所定量以上変形するのを規制するように下側の防水板Ｓ２の外面Ｓｒに係合可能なストッパ部材Ｋ１が固定される。【選択図】  図９
0003212275.tif 000002
【実用新案登録請求の範囲】
【請求項１】
建物の入口（Ｅ）の少なくとも一部の領域を左右より挟むように設けられて上下方向に延びる左右の受け部（１，１′）と、その左右の受け部（１）に左右両側端部がそれぞれ支持されると共に上下に互いに配列されて前記入口（Ｅ）を閉じる複数の防水板（Ｓ１，Ｓ２）と、その各々の防水板（Ｓ１，Ｓ２）を前記受け部（１，１′）にロックするロック装置（ＬＯ）とを備える、建物の入口における水遮断装置において、
上下に隣り合う２個の前記防水板（Ｓ１，Ｓ２）のうちの上側の防水板（Ｓ１）の下端面が、下側の防水板（Ｓ２）の上端面に接離可能に当接しており、
前記上側の防水板（Ｓ１）の外面（Ｓｒ）には、前方からの水圧で該上側の防水板（Ｓ１）よりも前記下側の防水板（Ｓ２）が後方に所定量以上変形するのを規制するように該下側の防水板（Ｓ２）の外面（Ｓｒ）に係合可能なストッパ部材（Ｋ１）が固定されることを特徴とする、建物の入口における水遮断装置。
【請求項２】
建物の入口（Ｅ）の少なくとも一部の領域を左右より挟むように設けられて上下方向に延びる左右の受け部（１，１′）と、その左右の受け部（１）に左右両側端部がそれぞれ支持されると共に上下に互いに配列されて前記入口（Ｅ）を閉じる複数の防水板（Ｓ１，Ｓ２）と、その各々の防水板（Ｓ１，Ｓ２）を前記受け部（１，１′）にロックするロック装置（ＬＯ）とを備える、建物の入口における水遮断装置において、
上下に隣り合う２個の前記防水板（Ｓ１，Ｓ２）のうちの上側の防水板（Ｓ１）の下端面が、下側の防水板（Ｓ２）の上端面に接離可能に当接しており、
前記下側の防水板（Ｓ２）の外面（Ｓｆ）には、前方からの水圧で前記上側の防水板（Ｓ１）よりも該下側の防水板（Ｓ２）が後方に所定量以上変形するのを規制するように該上側の防水板（Ｓ１）の外面（Ｓｆ）に係合可能なストッパ部材（Ｋ２）が固定されることを特徴とする、建物の入口における水遮断装置。
【請求項３】
前記ストッパ部材（Ｋ１，Ｋ２）は、該ストッパ部材（Ｋ１，Ｋ２）が固定される側の前記防水板（Ｓ１，Ｓ２）の外面（Ｓｒ，Ｓｆ）の、左右方向で中央部寄りの部位に配置、固定されることを特徴とする、請求項１又は２に記載の建物の入口における水遮断装置。
【請求項４】
前記上下に隣り合う２個の防水板（Ｓ１，Ｓ２）の対向端面間には、その間をシールする防水ゴム（Ｒｍ）が挟持され、
前記上下に隣り合う２個の防水板（Ｓ１，Ｓ２）の前後一方側の外面（Ｓｆ，Ｓｒ）の相互間には、該２個の防水板（Ｓ１，Ｓ２）間を互いに引き寄せるように且つ係脱可能に係止させる連結機構（Ｊ）が設けられ、
前記ストッパ部材（Ｋ１，Ｋ２）は、該ストッパ部材（Ｋ１，Ｋ２）が固定される側の前記防水板（Ｓ１，Ｓ２）の、前後他方側の外面（Ｓｒ，Ｓｆ）に固定されることを特徴とする、請求項１〜３の何れか１項に記載の建物の入口における水遮断装置。
【請求項５】
前記ストッパ部材（Ｋ１，Ｋ２）は、該ストッパ部材（Ｋ１，Ｋ２）が固定される側の前記防水板（Ｓ１，Ｓ２）の外面（Ｓｒ，Ｓｆ）に裏面が重合、固着される平板状の取付板部（５１）と、該ストッパ部材（Ｋ１，Ｋ２）が外面（Ｓｒ，Ｓｆ）に係合可能である前記防水板（Ｓ２，Ｓ１）に小間隙（６０）を介して対面するストッパ板部（５２）と、前記取付板部（５１）の表面に結合されて前記ストッパ板部（５２）を一体的に支持する支持板部（５３）とを少なくとも有する枠体で構成されることを特徴とする、請求項１〜４の何れか１項に記載の建物の入口における水遮断装置。
【考案の詳細な説明】
【技術分野】
【０００１】
本考案は、建物の入口（例えばビル、マンション等の入口や、地下通路出入り用建物の入口等）からの、豪雨や洪水等による水侵入を随時に防止可能な水遮断装置に関する。
【背景技術】
【０００２】
上記水遮断装置として、例えば、建物の入口を左右より挟むように設けられて上下方向に各々延びる左右の受け部と、その左右の受け部に左右両側端部がそれぞれ支持されて入口を閉じる防水板と、その防水板を受け部にロックするロック装置とを備えたものは、例えば下記特許文献１に開示されるように既に知られている。
【先行技術文献】
【特許文献】
【０００３】
【特許文献１】特許第３４５８０７７号公報
【考案の概要】
【考案が解決しようとする課題】
【０００４】
上記した従来構造において、複数の防水板を上下に並列配置して、その各々の防水板の左右両側部を左右の受け部に支持させ且つロック装置でロックすることが考えられ、その場合には、比較的小型で取り扱い容易な複数の防水板を上下に配列させることで、全体として背の高い防水パネルユニットを容易に構築可能となり利便性が高められる等の利点がある。
【０００５】
ところが斯かる上下分割タイプの防水パネル構造においては、上下に隣り合う２個の防水板のうち、豪雨時等に上側の防水板よりも水深が深くなる下側の防水板に対し、特に大きな水圧荷重が作用するため、上側の防水板に比べ下側の防水板が後方（即ち建物内部側）へ撓み易くなる。そして、その上下の防水板の撓み量の差が大きくなると、上下の防水板相互の隙間も拡大して、そこから漏水する等の問題が生じる虞れがある。
【０００６】
そこで、このような問題を解決するために、例えば上下の防水板間をボルト等の結合具で強固に結合することが考えられるが、その場合は、結合構造が複雑になるばかりか結合作業が面倒、煩雑で防水板の設置を容易迅速には行い得ない等の別の問題がある。
【０００７】
また特に上側の防水板の下端面と、下側の防水板の上端面との対向面間に上記結合具、又は下側防水板に対する変形規制用ストッパ部材を設けることも考えられるが、その場合は、次のような更に別の問題がある。即ち、上側の防水板の下端面と下側の防水板の上端面との対向面は狭小であって、スペース上の制約が多いため、そこに上記結合具又は変形規制用ストッパ部材を設けるとなると、それだけ設計自由度が狭まり、またその対向面間に本来介装すべきシール部材の設置面積も減ぜられて上下の防水板間のシール性能が低下する虞れがある。
【０００８】
本考案は、上記事情に鑑みてなされたもので、上記問題を解決しながら、防水板を上下に配列可能とした、建物の入口における水遮断装置を提供することを目的とする。
【課題を解決するための手段】
【０００９】
上記目的を達成するために、本考案は、建物の入口の少なくとも一部の領域を左右より挟むように設けられて上下方向に延びる左右の受け部と、その左右の受け部に左右両側端部がそれぞれ支持されると共に上下に互いに配列されて前記入口を閉じる複数の防水板と、その各々の防水板を前記受け部にロックするロック装置とを備える、建物の入口における水遮断装置において、上下に隣り合う２個の前記防水板のうちの上側の防水板の下端面が、下側の防水板の上端面に接離可能に当接しており、前記上側の防水板の外面には、前方からの水圧で該上側の防水板よりも前記下側の防水板が後方に所定量以上変形するのを規制するように該下側の防水板に外面が係合可能なストッパ部材が固定されることを第１の特徴とする。
【００１０】
また上記目的を達成するために、本考案は、建物の入口の少なくとも一部の領域を左右より挟むように設けられて上下方向に延びる左右の受け部と、その左右の受け部に左右両側端部がそれぞれ支持されると共に上下に互いに配列されて前記入口を閉じる複数の防水板と、その各々の防水板を前記受け部にロックするロック装置とを備える、建物の入口における水遮断装置において、上下に隣り合う２個の前記防水板のうちの上側の防水板の下端面が、下側の防水板の上端面に接離可能に当接しており、前記下側の防水板の外面には、前方からの水圧で前記上側の防水板よりも該下側の防水板が後方に所定量以上変形するのを規制するように該上側の防水板に外面が係合可能なストッパ部材が固定されることを第２の特徴とする。
【００１１】
また本考案は、第１又は第２の特徴に加えて、前記ストッパ部材は、該ストッパ部材が固定される側の前記防水板の外面の、左右方向で中央部寄りの部位に配置、固定されることを第３の特徴とする。
【００１２】
また本考案は、第１〜第３の何れかの特徴に加えて、前記上下に隣り合う２個の防水板の対向端面間には、その間をシールする防水ゴムが挟持され、前記上下に隣り合う２個の防水板の前後一方側の外面の相互間には、該２個の防水板間を互いに引き寄せるように且つ係脱可能に係止させる連結機構が設けられ、前記ストッパ部材は、該ストッパ部材が固定される側の前記防水板の、前後他方側の外面に固定されることを第４の特徴とする。
【００１３】
また本考案は、第１〜第４の何れかの特徴に加えて、前記ストッパ部材は、該ストッパ部材が固定される側の前記防水板の外面に裏面が重合、固着される平板状の取付板部と、該ストッパ部材が外面が係合可能である前記防水板に小間隙を介して対面するストッパ板部と、前記取付板部の表面に結合されて前記ストッパ板部を一体的に支持する支持板部とを少なくとも有する枠体で構成されることを第５の特徴とする。
【００１４】
尚、本考案及び本明細書において、「防水板の前後」とは、防水板の建物入口への取付け状態で、防水板から見て建物の外部側を前側、内部側を後側とした場合の前後をいう。また本考案及び本明細書において、「防水板の左右」は、防水板の建物入口への取付け状態での、建物入口の左右と一致する。
【考案の効果】
【００１５】
第１，第２の各特徴によれば、比較的小型で取り扱い容易な複数の防水板を上下に配列させることで、全体として背の高い防水パネルユニットを容易に構築可能となり、利便性を高めることができる。しかも上下に隣り合う２個の防水板のうちの上側の防水板の下端面が、下側の防水板の上端面に接離可能に当接しており、特に第１の特徴では、上側の防水板の外面に、下側の防水板に外面が係合可能なストッパ部材が固定され、また特に第２の特徴では、下側の防水板の外面に、上側の防水板に外面が係合可能なストッパ部材が固定されるので、豪雨時等に下側の防水板に対し上側の防水板よりも大きな水圧荷重が作用した場合でも、上下の防水板の撓み量の差を少なくでき、これにより、上下の防水板相互の隙間からの漏水防止に有効である。その上、水圧に因る変形対策のために上下の防水板間をボルト等の結合具を用いて特別に結合する必要はなくなり、それだけ構造が簡素化され、取り扱いも簡便となる。またストッパ部材を、上側の防水板の下端面と下側の防水板の上端面との狭小な対向面間に設ける必要はないため、その対向面間にシール部材を介装する場合でも、そのシール面積がストッパ部材のために減ぜられる虞れはない。
【００１６】
また第３の特徴によれば、ストッパ部材は、これが固定される側の防水板の外面の、左右方向で中央部寄りの部位に配置、固定されるので、防水板の、特に撓み量の大きい左右中央部寄りの部位の変形を効率よく抑制でき、これにより、ストッパ部材の設置個数低減や軽量小型化を図る上で有利である。
【００１７】
また第４の特徴によれば、上下に隣り合う２個の防水板の対向端面間には、その間をシールする防水ゴムが挟持され、また上下に隣り合う２個の防水板の前後一方側の外面の相互間には、該２個の防水板間を互いに引き寄せるように且つ係脱可能に係止させる連結機構が設けられるので、その連結機構により、上下の防水板の対向端面間で防水ゴムを十分に挟圧して、高いシール面圧を確保でき、従って、前述のストッパ部材の特設による下側の防水板の変形規制効果と相俟って、上下の防水板間からの漏水をより有効に防止することができる。その上、ストッパ部材は、これが固定される側の防水板の、前後他方側の外面に固定されるので、上記した連結機構とストッパ部材とは、上下に隣り合う２個の防水板の前後一方側・他方側の各外面に振り分け配置されることとなり、これにより、連結機構とストッパ部材とは、相互干渉を無理なく回避しながら高い配置自由度を以て設置可能となる。
【００１８】
また第５の特徴によれば、ストッパ部材は、これが固定される側の防水板の外面に裏面が重合、固着される平板状の取付板部と、ストッパ部材が外面が係合可能である相手側の防水板に小間隙を介して対面するストッパ板部と、取付板部の表面に結合されてストッパ板部を一体的に支持する支持板部とを少なくとも有する枠体で構成されるので、ストッパ部材は、必要な強度を確保しつつ小型軽量化を図ることができる。また防水板外面に強固に重合結合可能な取付板部上に支持板部を介してストッパ板部を支持させたことで、ストッパ板部と相手側の防水板との間に、取付板部の板厚に対応する小間隙を容易に設定でき、これにより、下側の防水板上に上側の防水板を載せる際にストッパ部材（特にストッパ板部）が相手側の防水板に干渉するのを容易に回避可能となる。
【図面の簡単な説明】
【００１９】
【図１】本考案の第１実施形態に係る水遮断装置において防水板を受け枠にロック装置を以て固定したセット状態を示す正面図（図２の１−１線断面図）
【図２】前記セット状態を示す平面図（図１の２矢視図）
【図３】図１の３矢視部拡大断面図
【図４】図３の４−４線断面図
【図５】図３の５−５線断面図
【図６】ロック装置を正面斜め下方より見た斜視図（図３の６矢視斜視図）
【図７】ロック装置の要部（カム機構）の斜視図（図６の７矢視斜視図）
【図８】ロック装置における操作レバー及びカム機構の連動関係を概略的に示す動作説明図
【図９】上下の防水板相互の接続部の要部を示す断面図（図１の９−９線拡大断面図）と、ストッパ部材の取付状態を示す斜視図
【図１０】（Ｆ）は連結機構の正面図（図９の１０Ｆ矢視図）、また（Ｒ）はストッパ部材の正面図（図９の１０Ｒ矢視図）
【図１１】連結機構の係止解除状態から係止作動状態への操作手順を説明する側面図であって、（ａ）は操作前即ち係止解除状態を示し、また（ｂ）は操作終了即ち係止作動状態（２点鎖線）と、操作途中の状態（実線）を示す
【図１２】本考案の第２実施形態に係る水遮断装置を適用した建物入口において防水板を水遮断位置にセットした状態を示す要部断面図（図４対応図）
【図１３】第２実施形態に係る水遮断装置の要部断面図（図１２の１３−１３線断面図、即ち図５対応図）
【図１４】本考案の第３実施形態に係る水遮断装置における上下の防水板相互の接続部の要部を示す断面図（図９対応図）
【考案を実施するための形態】
【００２０】
先ず、図１〜図１１を参照して、本考案の水遮断装置の第１実施形態を説明する。
【００２１】
図１及び図２において、建物（例えばビル）の入口Ｅの左右両側壁部Ｅｓには、上下方向に各々延び且つ互いに対向する左右一対の溝状の受け枠１が、開放面を入口Ｅ中央側に露出、指向させるようにして埋設される。受け枠１は、本考案の受け部の一例であり、本実施形態では横断面コ字状の金属枠で構成されるが、他の材料で構成してもよい。或いは、溝状の受け部を入口Ｅの左右両側壁部Ｅｓに直接形成してもよい。
【００２２】
左右の受け枠１には、上下に配列される一対の防水板Ｓ１，Ｓ２の左右両側端部が上方より抜差可能に順次挿入されることで、入口Ｅに防水板Ｓ１，Ｓ２をセット可能となり、その両防水板Ｓ１，Ｓ２により背の高い防水パネルユニットＵが構成される。そして、図１及び図２に示す防水パネルユニットＵの入口Ｅへのセット状態では、入口Ｅの左右幅一杯に延びる矩形の上下防水板Ｓ１，Ｓ２で入口Ｅが塞がれていて、外部から建物内への水の侵入を防止できる。
【００２３】
また上下一対の防水板Ｓ１，Ｓ２は、平時には通行の妨げとならないよう入口Ｅより撤去されていて、図示しない格納場所に格納される。そして、例えば豪雨や洪水等の緊急事態の発生時にだけ格納場所より取り出されて入口Ｅにセットされる。尚、受け枠１の、入口Ｅ側に臨む内面１ｉは、平時にはカバー等で体裁よく被覆してもよい。
【００２４】
本実施形態の水遮断装置Ａは、上下一対の防水板Ｓ１，Ｓ２と、左右一対の受け枠１と、各々の防水板Ｓ１，Ｓ２を受け枠１に各々ロックするためのロック装置ＬＯと、各々の防水板Ｓ１，Ｓ２の前後何れか一方の側面（本実施形態では後側面Ｓｒ）の左右両側部にそれぞれ装着されて上下方向に長く延びる左右一対の側部防水ゴムＲｓと、下側の防水板Ｓ２の下端面に装着されて左右方向に長く延びる底部防水ゴムＲｂと、上下の防水板Ｓ１，Ｓ２の対向端面（即ち上側の防水板Ｓ１の下端面と下側の防水板Ｓ２の上端面）間に介装されて左右方向に延びるシート状の中間部防水ゴムＲｍとを備える。中間部防水ゴムＲｍは、本考案の防水ゴムの一例である。
【００２５】
ロック装置ＬＯは、例えば、各々の防水板Ｓ１，Ｓ２の左・右両側部と、それらに対応する左右の受け枠１との各間において上下２組ずつ配設されており、各ロック装置ＬＯの構造は、基本的に同一である。尚、ロック装置ＬＯは、各々の防水板Ｓ１，Ｓ２の左・右両側部と受け枠１との各間において、１組ずつ配設してもよく、或いは３組以上配設してもよい。
【００２６】
次に図３〜図８も併せて参照して、ロック装置ＬＯの具体例の構造を説明する。尚、何れのロック装置ＬＯも同様の構成であるので、以下の具体例では、下側の防水板Ｓ２の右側部と右側の受け枠１との間をロックするロック装置ＬＯについて説明する。
【００２７】
ロック装置ＬＯは、例えば、防水板Ｓ２に間接的に（即ち後述する第１支持ブラケットＢ１及び摺動ピンＤを介して）軸支されていて所定のアンロック位置１Ｌ及びロック位置３Ｌ間を回動操作可能な操作レバーＬと、この操作レバーＬの回動に連動して防水板Ｓ２に対し、底部防水ゴムＲｂを入口Ｅの底面Ｅｂに圧接させる下方押圧力と、側部防水ゴムＲｓを受け枠１の、上下方向に延びる受け面１ｉｒ（本実施形態では内面１ｉのうちの後側の内側面、即ち入口Ｅから見て内部側の側面）に圧接させる前後方向押圧力（本実施形態では後方向押圧力）をこの順序で順次に発生させる連動機構Ｉと、連動機構Ｉの一部及び操作レバーＬを防水板Ｓ２に取付、支持するための第１支持ブラケットＢ１と、連動機構Ｉの残部（例えば後述する第１，第２カム面ｆ１，ｆ２）を受け枠１に取付、支持するための第２支持ブラケットＢ２とを備えている。
【００２８】
第１支持ブラケットＢ１は、本実施形態では防水板Ｓ２の前側面Ｓｆ（即ち入口Ｅから見て外部側の側面）に着脱可能に固定されるものであり、例えば、防水板Ｓ２の前側面Ｓｆに複数のボルトｂ１で結合された平板状の第１取付板２１と、第１取付板２１上に一体に突設された支持ブロック２２とを備える。支持ブロック２２は、例えば、第１取付板２１上に一体に起立する基部２１ｂと、基部２１ｂの、受け枠１から遠い側の側面に一体に連設される先部２１ａとを有する。
【００２９】
また第２支持ブラケットＢ２は、本実施形態では受け枠１に着脱可能に固定されるものであり、例えば、受け枠１の奥側の内面１ｉに複数のボルトｂ２で結合された屈曲板状の第２取付板３１と、第２取付板３１の下端に一体に形成された水平な受板部３１ａの下面に重合する高さ調整用のシム板３３と、シム板３３を挟んで受板部３１ａ下面に重合し且つ複数のボルトｂ３で結合されるカムブロック３２とを備える。
【００３０】
連動機構Ｉは、操作レバーＬがアンロック位置１Ｌから所定の中間回動位置２Ｌまで回動操作される第１操作段階で操作レバーＬに連動して防水板Ｓ２に対し、底部防水ゴムＲｂを入口Ｅの底面Ｅｂに圧接させる下方押圧力を発生させる第１カム機構Ｃ１と、操作レバーＬが中間回動位置２Ｌからロック位置３Ｌまで回動操作される第２操作段階で操作レバーＬに連動して防水板Ｓ２に対し、側部防水ゴムＲｓを受け枠１の受け面１ｉｒに圧接させる前後方向押圧力を発生させる第２カム機構Ｃ２とを備える。また第１カム機構Ｃ１は、第２操作段階では、第１操作段階で発生させた下方押圧力を維持する。
【００３１】
また連動機構Ｉは、防水板Ｓ２（より具体的には第１支持ブラケットＢ１の支持ブロック２２の基部２２ｂ）に摺動可能に支持される駆動ピンＤを備える。この駆動ピンＤは、上記第１操作段階で操作レバーＬに連動して後退位置１Ｄから第１前進位置２Ｄまで前進し且つ上記第２操作段階で操作レバーＬに連動して第１前進位置２Ｄから第２前進位置３Ｄまで前進する。駆動ピンＤの進退方向は、本実施形態では入口Ｅ（従って防水板Ｓ２）の左右方向に設定される。
【００３２】
また駆動ピンＤの先端部Ｄｆ即ち前進方向の端部は、先細り形状（本実施形態では円錐状）に形成されており、その先端部Ｄｆが駆動ピンＤの前進に従い、後述する第１，第２カム面ｆ１，ｆ２の斜面ｆ１ａ，ｆ２ａに順次に摺接する。
【００３３】
第１カム機構Ｃ１は、駆動ピンＤと、受け枠１に第２支持ブラケットを介して設けられて駆動ピンＤが接離可能な第１カム面ｆ１とを有している。そして、駆動ピンＤ及び第１カム面ｆ１相互の協働により、操作レバーＬの第１操作段階で駆動ピンＤの前進力を下方押圧力に変換すると共に第２操作段階での駆動ピンＤの前進中は下方押圧力を維持する機能を発揮する。
【００３４】
一方、第２カム機構Ｃ２は、駆動ピンＤと、受け枠１に第２支持ブラケットを介して設けられて駆動ピンＤが接離可能な第２カム面ｆ２とを有している。そして、駆動ピンＤ及び第２カム面ｆ２相互の協働により、操作レバーＬの第２操作段階で駆動ピンＤの前進力を前後方向押圧力に変換する機能を発揮する。
【００３５】
第１，第２カム面ｆ１，ｆ２は、駆動ピンＤの前進に伴いピン先端部Ｄｆが先に第１カム面ｆ１の斜面ｆ１ａに摺接し且つ最終的には斜面ｆ１ａに続く平坦面ｆ１ｂに乗り上げ、次いでその乗り上げと略同時に、ピン先端部Ｄｆが第２カム面ｆ２の斜面ｆ２ａに摺接し且つ最終的には斜面ｆ２ａに続く平坦面ｆ２ｂに乗り上げるように、第２支持ブラケットＢ２のカムブロック３２に形成される。
【００３６】
本実施形態では、第１カム面ｆ１は下向きに形成され、また第２カム面ｆ２は入口Ｅの後方側を向くように形成される。また第１カム面ｆ１の斜面ｆ１ａの終端位置と、第２カム面ｆ２の斜面ｆ２ａの始端位置とは、摺動ピンＤの前後方向（即ち防水板Ｓ２の左右方向）で略同一位置（即ち同一位置、又は摺動ピンＤの前後方向で僅かにずれた位置）に設定される。
【００３７】
ところで本実施形態では、操作レバーＬがアンロック位置１Ｌからロック位置３Ｌに向けて回動操作する過程において、特にロック位置３Ｌに接近したときに操作力を軽減すると共に、ロック位置３Ｌでの操作レバーＬの保持をより確実にするために、一対のリンク及びスライダを組み合わせたトグル機構Ｔが採用される。
【００３８】
即ち、本実施形態のトグル機構Ｔは、スライダとして機能する駆動ピンＤと、駆動ピンＤの後部Ｄｒに第１枢軸Ｐ１を介して基部が相対回動可能にピボット連結されるベルクランク状の操作レバーＬと、操作レバーＬの基端寄りの中間部に第２枢軸Ｐ２を介して一端部が相対回動可能にピボット連結されるリンク部材１１とを備える。そして、リンク部材１１の他端部は、防水板Ｓ２（より具体的には第１支持ブラケットＢ１の支持ブロック２２の先部２２ａ）に第３枢軸Ｐ３を介して相対回動可能にピボット連結される。この場合、操作レバーＬ及びリンク部材１１は、トグル機構Ｔの第１，第２リンクとしてそれぞれ機能する。
【００３９】
また、操作レバーＬの回動軸線と直交する投影面（例えば図３，図８）で見て、操作レバーＬ及び駆動ピンＤ間のピボット連結部（即ち第１枢軸Ｐ１）と、リンク部材１１及び防水板Ｓ２間のピボット連結部（即ち第３枢軸Ｐ３）とを通る仮想直線Ｚ（従ってその仮想直線Ｚ上に存するデッドポイント）を、操作レバーＬ及びリンク部材１１間のピボット連結部（即ち第２枢軸Ｐ２）が、操作レバーＬをアンロック位置１Ｌからロック位置３Ｌまで回動操作するときに操作レバーＬのロック位置３Ｌへの到達直前で横切るように、各ピボット連結部（即ち第１〜第３枢軸Ｐ１〜Ｐ３）の相互位置が設定される。
【００４０】
このような設定によれば、トグル機構Ｔは、操作レバーＬをアンロック位置１Ｌからロック位置３Ｌまで回動操作するときに、駆動ピンＤに作用する前進反力が、操作レバーＬのロック位置３Ｌへの到達直前で操作レバーＬに対する操作抵抗力から操作補助力に切り替わるように動作し、操作性を高めている。
【００４１】
ところで、本実施形態の上下の防水板Ｓ１，Ｓ２は、図９に示されるように下側の防水板Ｓ２の平坦な上端面上に、シート状の中間部防水ゴムＲｍを挟んで上側の防水板Ｓ１の平坦な下端面を接離可能に当接、載置させるようにして上下に配列される。そして、上下の防水板Ｓ１，Ｓ２は、その各々の前後一方側の外面（本実施形態では前側面Ｓｆ）の相互間に介設した連結機構Ｊを介して係脱可能に係止される。連結機構Ｊは、本実施形態では防水板Ｓ１，Ｓ２の左右に間隔をおいて複数組、配設されており、各連結機構Ｊの構造については、後述する。
【００４２】
また図９，図１０（Ｒ）に示すように、上側の防水板Ｓ１の、前後他方側の外面（本実施形態では後側面Ｓｒ）には、下側の防水板Ｓ２の外面（本実施形態では後側面Ｓｒ）に係合可能なストッパ部材Ｋ１が固着され、このストッパ部材Ｋ１は、入口Ｅの前方（外部）からの水圧で上側の防水板Ｓ１よりも下側の防水板Ｓ２が後方に所定量以上変形するのを規制するように下側の防水板Ｓ２の外面に係合する。
【００４３】
ストッパ部材Ｋ１は、上側の防水板Ｓ１の外面の、左右方向で中央部寄りの部位（本実施形態では防水板Ｓ１の左右二等分線上の中央部と、防水板Ｓ１の左右両端よりも前記中央部に近い部位）に左右に間隔をおいて複数配置、固定される。
【００４４】
各々のストッパ部材Ｋ１は、上側の防水板Ｓ１の外面に裏面が重合、固着される平板状の取付板部５１と、ストッパ部材Ｋ１が係合可能な下側の防水板Ｓ２に小間隙６０を介して対面するストッパ板部５２と、取付板部５１の表面に結合されてストッパ板部５２を一体的に支持する支持板部５３とを少なくとも有する高剛性材料（例えば金属）製の枠体で構成される。
【００４５】
支持板部５３は、取付板部５１の左右両側縁部より直角に起立し且つ下側の防水板Ｓ２の上端よりも下方に延びるようにして左右一対配備されており、各々の支持板部５３の下端部にストッパ板部５２の左右両側縁部が結合される。かくして、支持板部５３は、取付板部５１と協働して第１のコ字状枠を構成すると共に、ストッパ板部５２と協働して第２のコ字状枠を構成するものであり、その両コ字状枠を一体的に枠組みすることでストッパ部材Ｋ１が構成される。これにより、ストッパ部材Ｋ１は、軽量化を達成しつつ全体として十分な剛性強度を有する。
【００４６】
また取付板部５１と支持板部５３とストッパ板部５２との相互間の結合手段として、本実施形態では溶接が採用されるが、他の結合手段、例えばボルト、リベット等を採用してもよく、或いはまた、支持板部５３を、取付板部５１又はストッパ板部５２と一体に形成（例えばプレス成形）してもよい。
【００４７】
尚、取付板部５１の防水板Ｓ１外面への固着手段として、本実施形態では取付板部５１の複数のボルト孔を貫通して防水板Ｓ１に螺挿される複数のボルト５５が示されるが、他の固着手段、例えばリベット、溶接、接着、カシメ等も実施可能である。
【００４８】
次に図９，図１０（Ｆ）及び図１１を参照して、前記した連結機構Ｊの一例を説明する。連結機構Ｊは、上下の防水板Ｓ１，Ｓ２間をレバー操作で着脱可能に係止、連結するものであって、本実施形態では一般的にキャッチクリップと呼称される従来周知のレバー操作式クリップ機構が用いられる。例えば、連結機構Ｊは、上側の防水板Ｓ１の外面に固着したフック部材６１と、下側の防水板Ｓ２の外面に固着した取付ブラケット６２と、取付ブラケット６２に基部を揺動可能に軸支６３ｐされ且つ先部に被操作部６３ａを有する操作レバー６３と、操作レバー６３の中間部に基端が揺動可能に軸支６４ｐされる伸縮可能な一対の支持腕６４と、両支持腕６３の先端に連結支持されてフック６１に係脱可能なピン状の係止部材６５とを備える。
【００４９】
各々の支持腕６４は、これの長手方向に配列され且つ一部が重なり合う一対の支持腕半体６４ａ，６４ｂと、両支持腕半体６４ａ，６４ｂを支持腕６４の収縮方向に常時弾発するばね６４ｓとを有する。そして、各支持腕６４は、これの自由状態（例えば図１１（ａ）参照）では、ばね６４ｓの弾発力で最収縮状態に弾発保持される。
【００５０】
本実施形態では、後述するように下側の防水板Ｓ２を受け枠１にセットした後に、上側の防水板Ｓ１を受け枠１にセットすると共に、上側の防水板Ｓ１の下端面を下側の防水板Ｓ２の上端面上に中間部防水ゴムＲｍを挟んで突き合わせ、次いで連結機構Ｊで上下の防水板Ｓ１，Ｓ２間を互いに引き寄せるように係止、連結する。尚、中間部防水ゴムＲｍは、本実施形態では下側の防水板Ｓ２の上端面に予め貼着されるが、必要に応じて上側の防水板Ｓ１の下端面に貼着してもよく、或いは何れの防水板Ｓ１，Ｓ２にも貼着しないで上下の防水板Ｓ１，Ｓ２の突き合わせの際にその対向端面間に挟むようにしてもよい。
【００５１】
次に、連結機構Ｊの操作手順を簡単に説明する。上下の防水板Ｓ１，Ｓ２の突き合わせ後、操作レバー６３を上方へ揺動操作しつつ支持腕６４もフック部材６１側に揺動させることで、係止部材６５をフック６１に引っ掛け、しかる後に操作レバー６３を下方に揺動操作する（図１１（ａ）→（ｂ））。その揺動操作の途中で、係止部材６５の中心軸線と、伸縮腕６４基端の軸支点６４ｐとを結ぶ仮想直線Ｘが側面視で操作レバー６３の軸支６３ｐ点（即ちデッドポイント）を超えると、伸縮腕６４のばね６４ｓの弾発力が操作レバー６３を、下側の防水板Ｓ２外面に圧接するロック位置（図９）の側に付勢するようになる。これにより、操作レバー６３がロック位置に保持されるため、係止部材６５のフック部材６１への係止状態（即ち連結機構Ｊが上下の防水板Ｓ１，Ｓ２相互を互いに引き寄せるように係止、連結する状態）が、図９に示すように維持される。尚、上下の防水板Ｓ１，Ｓ２間の連結機構Ｊによる係止、連結状態の解除は、上記とは逆の手順で操作レバー６３を操作すればよい。
【００５２】
次に第１実施形態の作用を説明する。建物の入口Ｅは、平時には通行の妨げとならないよう、防水板Ｓ１，Ｓ２が撤去された状態に置かれる。
【００５３】
例えば、集中豪雨や洪水等で外の大量の水が入口Ｅから建物内に侵入する虞れが生じた場合には、防水板Ｓ１，Ｓ２を、図示しない格納場所より取出し、入口Ｅに図１，２に示すように１個ずつ順次に設置、固定し、これにより、入口Ｅの下部領域を防水板Ｓ１，Ｓ２で遮断する。
【００５４】
その設置に際しては、入口Ｅの両側壁部Ｅｓに固定の受け枠１内に先ず、下側の防水板Ｓ２の左右両側部を上方より挿入すると共に、その防水板Ｓ２を入口Ｅの底面Ｅｂ上に底部防水ゴムＲｂを介して載置させ、次いで各ロック装置ＬＯの操作レバーＬをアンロック位置１Ｌからロック位置３Ｌまで回動操作することで、下側の防水板Ｓ２の左右両側壁部を受け枠１に固定する。
【００５５】
しかる後、受け枠１内に上側の防水板Ｓ１の左右両側部を上方より挿入すると共に、その上側の防水板Ｓ１の下端面を上側の防水板Ｓ２の上端面に中間部防水ゴムＲｍを挟んで突き合わせるように載置させる。次いで、各ロック装置ＬＯの操作レバーＬをアンロック位置１Ｌからロック位置３Ｌまで回動操作することで、上側の防水板Ｓ１の左右両側壁部を受け枠１に固定する。更に連結機構Ｊで上下の防水板Ｓ１，Ｓ２間を互いに引き寄せるように係止、連結することで、中間部防水ゴムＲｍのシール面圧が高められる。
【００５６】
ところで操作レバーＬの前述の回動操作過程において、操作レバーＬがアンロック位置１Ｌから中間回動位置２Ｌまで回動操作される第１操作段階（図８（Ａ）〜（Ｃ）参照）では、その操作レバーＬに連動して駆動ピンＤが後退位置１Ｄから第１前進位置２Ｄまで前進し、次いで操作レバーＬが中間回動位置２Ｌからロック位置３Ｌまで回動操作される第２操作段階（図８（Ｃ）〜（Ｄ）参照）では、操作レバーＬに連動して駆動ピンＤが第１前進位置２Ｄから第２前進位置３Ｄまで前進する。
【００５７】
そして、駆動ピンＤの斯かる前進動作により、ピン先端部Ｄｆが第１，第２カム面ｆ１，ｆ２の斜面ｆ１ａ，ｆ２ａに順次に摺接する。この順次の動きをより具体的に説明すると、操作レバーＬの第１操作段階では、駆動ピンＤの前進に伴い、ピン先端部Ｄｆが先ず、第１カム面ｆ１の斜面ｆ１ａに接触して、斜面ｆ１ａを昇るように摺接し、最終的には斜面ｆ１ａに続く平坦面ｆ１ｂに乗り上げ、その乗り上げと略同時にピン先端部Ｄｆが第２カム面ｆ２の斜面ｆ２ａに接触し、この接触の開始と同時に第２操作段階が始まる。
【００５８】
そして、第２操作段階では、駆動ピンＤの前進に伴い、ピン先端部Ｄｆが第２カム面ｆ２の斜面ｆ２ａを昇るように摺接し、第２操作段階の終了直前（即ち操作レバーＬのロック位置３Ｌへの到達直前）でピン先端部Ｄｆが、第２カム面ｆ２の斜面ｆ２ａに続く平坦面ｆ２ｂに乗り上げる。
【００５９】
かくして、操作レバーＬの第１操作段階では、第１カム機構Ｃ１が駆動ピンＤの前進力を防水板Ｓ１，Ｓ２に対する下方押圧力に変換するため、その下方押圧力により、特に下側の防水板Ｓ２においては底部防水ゴムＲｂを入口底面Ｅｂに圧接させることで、防水板Ｓ２及び入口底面Ｅｂ間が水密にシールされ、また特に上側の防水板Ｓ１においてはその下端面を中間部防水ゴムＲｍを挟んで下側の防水板Ｓ２の上端面に圧接させることで、上下の防水板Ｓ１，Ｓ２間が水密にシールされる。
【００６０】
また、操作レバーＬの第２操作段階では、第２カム機構Ｃ２が駆動ピンＤの前進力を防水板Ｓ１，Ｓ２に対する前後方向押圧力（実施形態では後方向押圧力）に変換するため、その前後方向押圧力により、側部防水ゴムＲｓを受け枠１の受け面１ｉｒ（実施形態では後側の内側面、即ち入口Ｅから見て内部側の内側面）に圧接させることで、防水板Ｓ１，Ｓ２及び受け枠１の内面１ｉ間が水密にシールされる。そして、この第２操作段階では、駆動ピンＤが、第１カム面ｆ１の斜面ｆ１ａに続く平坦面ｆ１ｂに乗り上げたまま平坦面ｆ１上を摺動するため、第１カム機構Ｃ１は、第１操作段階で発生させた下方押圧力をそのまま維持することができる。
【００６１】
以上説明したように、本実施形態の水遮断装置Ａは、操作レバーＬの回動操作に連動して防水板Ｓ１，Ｓ２に対し下方押圧力及び後方向押圧力を発生させる連動機構Ｉが、操作レバーＬがアンロック位置１Ｌから中間回動位置２Ｌまで回動操作される第１操作段階（図８（Ａ）〜（Ｃ）参照）で防水板Ｓ１，Ｓ２に対し下方押圧力を発生させ、次いで操作レバーＬが中間回動位置２Ｌからロック位置３Ｌまで回動操作される第２操作段階（図８（Ｃ）〜（Ｄ）参照）で防水板Ｓ１，Ｓ２に対し後方向押圧力を発生させる。
【００６２】
これにより、従来装置のように操作レバーＬの一発回動で防水板Ｓ１，Ｓ２に対し下方押圧力と前後方向押圧力とを同時に発生させるものと比べて、操作レバーＬの回動操作時に操作者が受ける操作抵抗は効果的に軽減されるため、操作レバーＬを軽快に回動操作することができる。従って、操作レバーＬをロック位置３Ｌまで軽快に回動操作して防水板Ｓ１，Ｓ２を迅速に防水・ロック状態に保持できる。
【００６３】
また、本実施形態では、比較的小型で取り扱い容易な複数の防水板Ｓ１，Ｓ２を上下に配列させることで、全体として背の高い防水パネルユニットＵを容易に構築可能となり、利便性を高めることができる。しかも上下に隣り合う２個の防水板Ｓ１，Ｓ２のうちの上側の防水板Ｓ１の外面に、下側の防水板Ｓ２の外面に係合して同防水板Ｓ２の変形を規制するストッパ部材Ｋ１が固定されるので、豪雨時等に下側の防水板Ｓ２に対し上側の防水板Ｓ１よりも大きな水圧荷重が作用した場合でも、上下の防水板Ｓ１，Ｓ２の撓み量の差を少なくでき、これにより、上下の防水板Ｓ１，Ｓ２相互の隙間からの漏水防止に有効である。
【００６４】
その上、水圧に因る変形対策のために上下の防水板Ｓ１，Ｓ２間をボルト等の結合具を用いて特別強固に結合する必要はなくなるため、それだけ構造が簡素化され、取り扱いも簡便となる。更にストッパ部材Ｋ１を、上側の防水板Ｓ１の下端面と下側の防水板Ｓ２の上端面との狭小な対向面間に設ける必要はないため、その対向面間に介装される中間部防水ゴムＲｍの設置面積（従ってシール面積）がストッパ部材Ｋ１のために減ぜられる虞れもない。
【００６５】
また上下に隣り合う２個の防水板Ｓ１，Ｓ２の対向端面間には、その間をシールする中間部防水ゴムＲｍが挟持され、また上下に隣り合う２個の防水板Ｓ１，Ｓ２の前後一方側の外面（本実施形態では前側面Ｓｆ）の相互間には、その２個の防水板Ｓ１，Ｓ２間を互いに引き寄せるように且つ係脱可能に係止させる連結機構Ｊが設けられる。これにより、その連結機構Ｊで、上下の防水板Ｓ１，Ｓ２の対向端面間で中間部防水ゴムＲｍを十分に挟圧して、高いシール面圧を確保でき、従って、前述のストッパ部材Ｋ１の特設による下側の防水板Ｓ２の変形規制効果と相俟って、上下の防水板Ｓ１，Ｓ２間からの漏水をより有効に防止することができる。尚、連結機構Ｊの連結強度は然程高いものではないため、連結機構Ｊ単独では（即ちストッパ部材Ｋ１無しでは）下側の防水板Ｓ２の水圧による変形を十分には規制し得ないものである。
【００６６】
その上、ストッパ部材Ｋ１は、上側の防水板Ｓ１の、前後他方側の外面（本実施形態では後側面Ｓｒ）に固定されるので、上記した連結機構Ｊとストッパ部材Ｋ１とは、上下に隣り合う２個の防水板Ｓ１，Ｓ２の前後一方側・他方側の各外面に振り分け配置されることとなる。これにより、連結機構Ｊとストッパ部材Ｋ１とは、相互干渉を無理なく回避しながら高い配置自由度を以て設置可能となる。
【００６７】
更にストッパ部材Ｋ１は、上側の防水板Ｓ１の外面（本実施形態では後側面Ｓｒ）の、左右方向で中央部寄りの部位に配置、固定されることから、下側の防水板Ｓ２の、特に撓み量の大きい左右中央部寄りの部位の変形を効率よく抑制できる。従って、ストッパ部材Ｋ１の設置個数の低減や軽量小型化を図る上で有利である。
【００６８】
また本実施形態のストッパ部材Ｋ１は、上側の防水板Ｓ１の外面（後側面Ｓｒ）に裏面が重合、固着される平板状の取付板部５１と、下側の防水板Ｓ２の外面（後側面Ｓｒ）に小間隙６０を介して対面するストッパ板部５２と、取付板部５１の表面に結合されてストッパ板部５２を一体的に支持する一対の支持板部５３とを少なくとも有する剛体枠で構成される。これにより、ストッパ部材Ｋ１は、必要な強度を確保しつつ小型軽量化を図ることができる。また防水板Ｓ１の外面に強固に重合結合可能な取付板部５１上に支持板部５３を介してストッパ板部５２を支持させたことで、ストッパ板部５２と相手側の防水板Ｓ２との間に、取付板部５１の板厚に対応する小間隙６０を容易に設定できるため、下側の防水板Ｓ２上に上側の防水板Ｓ１を載せる際にストッパ部材Ｋ１（ストッパ板部５２）が下側の防水板Ｓ２に干渉するのを容易に回避可能となり、作業性が向上する。
【００６９】
次に図１２，図１３を参照して、本考案の第２実施形態を説明する。第１実施形態では、受け部としての受け枠１が溝状に形成（即ち入口Ｅの左右両側壁部Ｅｓに凹設）されていて、その受け枠１内に防水板Ｓ１，Ｓ２の左右両側端部が上方より抜差可能に挿入され、操作レバーのロック操作時に側部防水ゴムＲｓを受け枠１の受け面１ｉｒ（後側の内側面）に圧接させるようにしたものを示した。
【００７０】
これに対して、第２実施形態では、受け部としての受け枠１′が、入口Ｅの左右両側壁部Ｅｓに埋設固定される基板部１ｂ′と、基板部１ｂ′中央より入口Ｅ側に張り出す突板部１ｔ′とを有して横断面Ｔ字状に且つ上下方向に延びるように形成される。そして、突板部１ｔ′の、入口Ｅから見て外部側の側面が、防水板Ｓ１，Ｓ２（本実施形態では後側面Ｓｒ）の左右両側端部を対面させる受け面１ｔｆ′となり、この受け面１ｔｆ′に、操作レバーＬのロック操作時に防水板Ｓ１，Ｓ２の後側面Ｓｒの側部防水ゴムＲｓを圧接させる。
【００７１】
即ち、この第２実施形態の水遮断装置Ａも、第１実施形態と同様、防水板Ｓ１，Ｓ２及び受け枠１′と、防水板Ｓ１，Ｓ２を受け枠１′にロックするためのロック装置ＬＯと、防水板Ｓ１，Ｓ２の前後何れか一方の側面（本実施形態では後側面Ｓｒ）の左右両側端部にそれぞれ装着されて上下方向に長く延びる左右一対の側部防水ゴムＲｓと、防水板Ｓ１，Ｓ２の下面に装着されて左右方向に長く延びる底部防水ゴムＲｂとを備える。
【００７２】
そして、操作レバーＬの回動操作に連動して防水板Ｓ１，Ｓ２に下方押圧力及び前後方向押圧力（後方押圧力）を発生させる連動機構Ｉ（第１，第２カム機構Ｃ１，Ｃ２）は、第１実施形態の連動機構Ｉ（第１，第２カム機構Ｃ１，Ｃ２）と同様の構造である。但し、第２実施形態では、第１支持ブラケットＢ１が、防水板Ｓ１，Ｓ２の後側面Ｓｒに側部防水ゴムＲｓとは隣接した位置で結合され、一方、第２支持ブラケットＢ２が、受け枠１′における突板部１ｔ′の、入口Ｅから見て内部側の側面と基板部１ｂ′とに跨がって結合される。
【００７３】
第２実施形態の連動機構Ｉ（第１，第２カム機構Ｃ１，Ｃ２）の各構成要素には、第１実施形態の対応する構成要素と同じ参照符号を付すにとどめ、これ以上の構造説明は省略する。そして、第２実施形態によっても、第１実施形態と基本的に同様の作用効果を達成可能である。
【００７４】
尚、受け枠１′は、本考案の受け部の一例であり、本実施形態では横断面Ｔ字状の金属枠で構成されるが、他の材料で構成してもよいし、別の横断面形状（例えば一部が入口Ｅ側に張り出すＬ字状）に形成されてもよい。
【００７５】
次に図１４を参照して、第３実施形態について説明する。第１，第２実施形態では、上下に相隣なる防水板Ｓ１，Ｓ２のうち、上側の防水板Ｓ１の外面（後側面Ｓｒ）に、下側の防水板Ｓ２に外面（後側面Ｓｒ）が係合可能なストッパ部材Ｋ１が固定されるものを示したが、第３実施形態では、下側の防水板Ｓ２の外面（前側面Ｓｆ）に、上側の防水板Ｓ１に外面（前側面Ｓｆ）が係合可能なストッパ部材Ｋ２が固定される。このストッパ部材Ｋ２は、第１，第２実施形態のストッパ部材Ｋ１とは、固定される防水板外面が上下及び前後で各々反対側となる点を除いて、基本的な構造は同一である。従って、ストッパ部材Ｋ２の各構成要素については、第１，第２実施形態のストッパ部材Ｋ１の対応する構成要素の参照符号を付し、具体的な構造の説明は省略する。
【００７６】
また、ストッパ部材Ｋ２の上記配置構成に関連して、第３実施形態の連結機構Ｊは、第１，第２実施形態の連結機構Ｊとは前後が反対側の配置となるが、具体的な構造は、第１，第２実施形態の連結機構Ｊと同様である。従って、第３実施形態の連結機構Ｊの各構成要素については、第１，第２実施形態の連結機構Ｊの対応する構成要素の参照符号を付し、具体的な構造の説明は省略する。
【００７７】
そして、第３実施形態によっても、第１，第２実施形態と基本的に同様の作用効果を達成可能である。
【００７８】
以上、本考案の実施形態について説明したが、本考案は、前記実施形態に限定されるものではなく、その要旨を逸脱しない範囲で種々の設計変更が可能である。
【００７９】
例えば、ロック装置Ｌの構成は、前記実施形態に限定されず、少なくとも防水板Ｓ１，ｓ２を受け部（受け枠１，１′）にロック可能なロック装置であればよい。例えば、前記実施形態では、連動機構Ｉが、操作レバーＬのアンロック位置１Ｌからロック位置３Ｌへの回動操作に連動して防水板Ｓ１，Ｓ２に対し下方押圧力と前後方向押圧力とをこの順序で順次に発生させるものを示したが、本考案では、この発生順序を逆にしたもの（即ち前後方向押圧力の発生後、下方押圧力を発生させるもの）にも実施可能である。或いはまた、操作レバーのアンロック位置からロック位置への回動操作に連動して防水板Ｓ１，Ｓ２に対し、前記した下方押圧力と前後方向押圧力とを略同時に発生させるようなロック装置（例えば、特許第３４５８０７７号公報参照）を用いてもよい。
【００８０】
また前記実施形態では、防水板Ｓ２底部の底部防水ゴムＲｂを圧接させる入口Ｅの底面Ｅｂに受け枠を設けていないものを示したが、入口Ｅの底面Ｅｂにも、入口Ｅの左右側壁部Ｅｓと同様、受け枠を設置可能である。この場合は、例えば、入口Ｅの底壁部に下部受け枠を埋設して、下部受け枠の露出した外面（上面）に底部防水ゴムＲｂを圧接させるようにする。
【００８１】
また前記実施形態では、防水パネルユニットＵを上下一対の防水板Ｓ１，Ｓ２で構成したものを示したが、本考案では上下に配列された３個以上の防水板で防水パネルユニットＵを構成してもよい。この場合、上下に隣り合う２個の防水板の相互間に、前記実施形態と同様の設置態様で、ストッパ部材Ｋ１又はＫ２、及び連結機構Ｊが設置される。
【００８２】
また第１実施形態では、ロック装置ＬＯの、防水板Ｓ１，Ｓ２側の第１支持ブラケットＢ１（従って操作レバーＬ）を防水板Ｓ１，Ｓ２の前側面Ｓｆに設置して、操作レバーＬのロック操作時には、防水板Ｓ１，Ｓ２の後側面Ｓｒに固定の側部防水ゴムＲｓを受け枠１の受け面１ｉｒ（即ち後側の内側面）に圧接させる前後方向押圧力（即ち後方向押圧力）を発生させるようにした実施例を示した。この第１実施形態の変形例として、例えば、第１支持ブラケットＢ１（従って操作レバーＬ）を防水板Ｓ１，Ｓ２の後側面Ｓｒに設置して、操作レバーＬのロック操作時には、防水板Ｓ１，Ｓ２の前側面Ｓｆに固定した側部防水ゴムＲｓを受け枠１の受け面１ｉｆ（即ち前側の内側面）に圧接させる前後方向押圧力（即ち前方向押圧力）を発生させるように構成してもよい。
【００８３】
また第２実施形態では、ロック装置ＬＯの、防水板Ｓ１，Ｓ２側の第１支持ブラケットＢ１（従って操作レバーＬ）を防水板Ｓ１，Ｓ２の後側面Ｓｒに設置して、操作レバーＬのロック操作時には、防水板Ｓ１，Ｓ２の後側面Ｓｒに固定の側部防水ゴムＲｓを受け枠１′の前向きの受け面１ｔｆ′に圧接させる前後方向押圧力（即ち後方向押圧力）を発生させるようにした実施例を示した。この第２実施形態の変形例として、第１支持ブラケットＢ１（従って操作レバーＬ）を防水板Ｓ１，Ｓ２の前側面Ｓｆに設置して、操作レバーＬのロック操作時には、防水板Ｓ１，Ｓ２の前側面Ｓｆに固定した側部防水ゴムＲｓを受け枠１′の後向きの受け面１ｔｒ′に圧接させる前後方向押圧力（即ち前方向押圧力）を発生させるように構成してもよい。
【００８４】
また第１，第２実施形態では、左右の受け部としての受け枠１，１′を、建物の入口Ｅの全部の領域を左右より挟む左右両側壁部Ｅｓにそれぞれ設けたものを示したが、入口Ｅの左右幅が防水板Ｓ１，Ｓ２よりも幅広（即ち左右方向に長い）の場合は、入口Ｅの左右中間部の底面Ｅｂに、受け部となる受け枠１，１′を、左右両側壁部Ｅｓより離間独立した柱状に立設して、防水板Ｓ１，Ｓ２の対応する側端部の支持及びシールに用いるようにしてもよい。即ち、左右の受け部としての受け枠１，１′は、入口Ｅの少なくとも一部の領域を左右より挟むように設けられて上下方向に延びるものであればよく、また防水板Ｓ１，Ｓ２は、建物の入口Ｅの少なくとも一部の領域を閉じるものであればよい。
【符号の説明】
【００８５】
Ａ・・・・・・水遮断装置
Ｅ・・・・・・建物の入口
Ｋ１，Ｋ２・・ストッパ部材
ＬＯ・・・・・ロック装置
Ｒｍ・・・・・中間部防水ゴム（防水ゴム）
Ｓ１・・・・・上側の防水板（防水板）
Ｓ２・・・・・下側の防水板（防水板）
Ｓｆ・・・・・前側面（外面）
Ｓｒ・・・・・後側面（外面）
１，１′・・・受け枠（受け部）
５１・・・・・取付板部
５２・・・・・ストッパ板部
５３・・・・・支持板部
６０・・・・・小間隙
【図１】
0003212275.tif 000003
【図２】
0003212275.tif 000004
【図３】
0003212275.tif 000005
【図４】
0003212275.tif 000006
【図５】
0003212275.tif 000007
【図６】
0003212275.tif 000008
【図７】
0003212275.tif 000009
【図８】
0003212275.tif 000010
【図９】
0003212275.tif 000011
【図１０】
0003212275.tif 000012
【図１１】
0003212275.tif 000013
【図１２】
0003212275.tif 000014
【図１３】
0003212275.tif 000015
【図１４】
0003212275.tif 000016